(57)【特許請求の範囲】
【請求項１】
水平方向に延びる２本の連結杆を上面視Ｔ字状に交差させ、一方の連結杆の端面と他方の連結杆の側面とを連結する連結部材を有する空間構造体であって、
前記各連結杆は、前記水平方向に延びる略矩形形状の連結杆本体をもち、該連結杆本体の上部に前記水平方向に連続して延びる凹溝が形成され、
前記連結部材は、前記凹溝の横断面形状とほぼ一致させた形状をした凹部をもち、
前記他方の連結杆の側面に、前記凹部の横断面形状とほぼ一致させた形状をした切欠部が形成され、
前記連結部材は、前記２本の連結杆同士の連結状態にて、前記凹部の底面が、前記凹溝の底面および前記切欠部の底面とほぼ面一となる位置関係にあることを特徴とする空間構造体。
【請求項２】
前記連結部材は、前記切欠部の底面に乗り上げて係止するフランジ部を有することを特徴とする請求項１に記載の空間構造体。
【発明の詳細な説明】
【技術分野】
【０００１】
本発明は、オフィスや展示場等の室内空間を、業務環境や業務形態等の変化に対応して仕切ったり区画したりする空間構造体に関する。
【背景技術】
【０００２】
従来から、床から立設する支柱と連結杆の端部を連結する連結部材を用いた空間構造体が知られている。また、このような空間構造体として、空間構造体内部で使用する機器の配線を収容するため、連結杆の上部に溝を形成したものが提案されている（例えば、特許文献１参照）。
【先行技術文献】
【特許文献】
【０００３】
【特許文献１】特開２０１１−６９７３号公報
【発明の概要】
【発明が解決しようとする課題】
【０００４】
ところで、上記特許文献１に記載された連結部材では、連結杆の上部に配置された配線は支柱の溝へ収納することはできるものの、一方の連結杆から他方の連結杆へ支柱を跨いで配線を配置することが考慮されておらず、配線の取り回しが自由に行うことができないという問題があった。
【０００５】
また、一方の連結杆から他方の連結杆に渡って配線を配置したとしても、連結杆同士が交差する部分においては、連結部材を乗り越えてから他方の連結杆に配線を配置しなければならず、連結部材を乗り越えて配置された配線が外部に露出してしまい美観が損なわれるおそれがあった。
【０００６】
そこで、本発明の課題は、美観を損なうことなく配線を容易に取り回すことが可能な連結部材を用いた空間構造体を提供することである。
【課題を解決するための手段】
【０００７】
上記課題を解決するため、本発明の空間構造体は、床面から立設した支柱の上端部と水平方向に延びる連結杆の端部とを連結する連結部材を有する空間構造体であって、前記連結杆は、前記水平方向に延びる略矩形形状の連結杆本体をもち、該連結杆本体の上部に前記水平方向に連続して延びる凹溝が形成され、前記連結部材は、前記凹溝の横断面形状とほぼ一致させた形状をした凹部をもち、前記支柱と前記連結杆の連結状態にて、前記凹部の底面が、前記凹溝の底面および前記支柱の上端面とほぼ面一となる位置関係にある。
【０００８】
上記空間構造体によれば、上記連結部材は、支柱と連結杆の連結状態にて、凹部の底面が、連結杆の凹溝の底面および支柱の上端面とほぼ面一となる位置関係にあるため、一方の連結杆から他方の連結杆へ支柱を跨いで配線を配置する場合においても支柱と連結杆の連結部において配線の取り回しが容易となる。また、ほぼ面一であることから配線が外部に露出することを防止して美観を向上することができる。
【０００９】
また、本発明の空間構造体は、水平方向に延びる２本の連結杆を上面視Ｔ字状に交差させ、一方の連結杆の端面と他方の連結杆の側面とを連結する連結部材を有する空間構造体であって、前記各連結杆は、前記水平方向に延びる略矩形形状の連結杆本体をもち、該連結杆本体の上部に前記水平方向に連続して延びる凹溝が形成され、前記連結部材は、前記凹溝の横断面形状とほぼ一致させた形状をした凹部をもち、前記他方の連結杆の側面に、前記凹部の横断面形状とほぼ一致させた形状をした切欠部が形成され、前記連結部材は、前記２本の連結杆同士の連結状態にて、前記凹部の底面が、前記凹溝の底面および前記切欠部の底面とほぼ面一となる位置関係にある。
【００１０】
上記空間構造体によれば、上記連結部材は、２本の連結杆の連結状態にて、凹部の底面が、一方の連結杆の凹溝の底面および他方の連結杆の切欠部の底面とほぼ面一となる位置関係にあるため、一方の連結杆と他方の連結杆の交差部において支柱と連結杆の連結部において配線の取り回しが容易となる。また、面一であることから配線が外部に露出することを防止して美観を向上することができる。
【００１１】
さらに、本発明の空間構造体は、前記連結部材は、前記切欠部の底面に乗り上げて係止するフランジ部を有する。
【００１２】
上記空間構造体によれば、上記連結部材の凹部は、他方の連結杆の側面に形成された切欠部の底面に乗り上げて係止するフランジ部を有するため、一方の連結杆と他方の連結杆の交差部において、連結杆と連結部材に隙間が生じて連結杆に配置された配線が見えることを防止することができる。
【発明の効果】
【００１３】
このように、本発明によれば、美観を損なうことなく配線を容易に取り回すことが可能な連結部材を用いた空間構造体を提供することができる。
【図面の簡単な説明】
【００１４】
【図１】第１実施形態に係る空間構造体を示す斜視図である。
【図２】図１に示す支柱と連結部材を示す斜視図である。
【図３】図１に示す支柱に連結部材を介して連結杆が連結された状態を示す斜視図である。
【図４】（ａ）図１に示す連結杆の平面図、（ｂ）図１に示す連結部材の平面図、（ｃ）図１に示す支柱と連結杆の連結状態を示す平面図、（ｄ）（ｃ）に示すネジ座を示す平面図である。
【図５】（ａ）図１に示す連結杆と連結部材を示す斜視図、（ｂ）図１に示す連結杆と連結部材の連結状態を示す斜視図、（ｃ）連結杆同士の連結状態を示す斜視図である。
【図６】（ａ）第２実施形態に係る連結部材と連結杆を示す斜視図、（ｂ）第２の実施形態に係る連結部材を介して連結杆同士が連結された状態を示す斜視図である。
【発明を実施するための形態】
【００１５】
［１．第１実施形態］
以下、本発明の第１実施形態について図面を参照して説明する。はじめに、図１を参照して第１実施形態に係る空間構造体の概略構成について説明する。
【００１６】
なお、以下の第１実施形態に係る空間構造体の一例として、オフィスや展示場等の室内空間を、業務環境や業務形態等の変化に容易かつ柔軟に対応して仕切ったり区画したりすることができるとともに、空間内で使用する機器およびこの機器の配線を支柱に連結された連結杆に収容することが可能な空間構造について説明する。
【００１７】
［１−１．空間構造体の構成］
図１に示すように、第１実施形態に係る空間構造体１は、室内空間を仕切る構成部材であり床面から立設した支柱１２と、床面に水平方向に配置された連結杆１３から略構成されている。
【００１８】
また、空間構造体１は、支柱１２と連結杆１３、連結杆１３同士をそれぞれ連結する連結部材１４と、連結杆１３同士を上面視Ｌ字状に連結した部分に取り付けられるコーナー部材１５と、支柱１２で囲まれた空間やこの空間内を仕切ったり区画したりする間仕切りパネル１６を有している。
【００１９】
間仕切りパネル１６は、一端が連結杆１３に移動可能に取り付けられたパネルであってもよいし、一端が連結杆１３に固定されたパネルであってもよい。また、一部が固定または移動可能な間仕切りパネル１６であってもよく、間仕切りパネル１６は業務環境や業務形態等に応じて適宜変更が可能である。
【００２０】
なお、以下の第１実施形態では、支柱１２を介して連結される連結杆１３と、連結杆１３同士を連結する連結杆１３は同一形状のものである場合について説明するが、支柱１２を介して連結される連結杆と連結杆同士を連結する連結杆は異なる形状のものであってもよい。
【００２１】
［１−２．支柱の構成］
次に、図２および図３を参照して、図１に示す支柱１２の具体的な構成について説明する。
【００２２】
支柱１２は、アルミニウム製の材質で成型されており、図２および図３に示すように、床と水平な断面が多角形（ここでは正方形）を有する支柱本体２１と、正方形の各頂点位置に形成される頂角を等分する仮想線上に各頂点位置から外方に向けてそれぞれ延出した延出部２２と、正方形の各辺にそれぞれ形成された連結溝２３から構成されている。
【００２３】
支柱本体２１は、後述する連結部材１４に形成された２つの第２ビス孔４１ｂに対応する位置に、所定の角度（例えば、支柱上端面１２ａから４５度または−４５度）でビス（図示省略）が挿通可能な２つの支柱側ビス孔１２ｂを有している。この支柱側ビス孔１２ｂは、後述する支柱側ネジ座１２ｄに形成されている（後述する図４（ｃ）および（ｄ）参照）。
【００２４】
延出部２２は、正方形の各頂点位置に形成される頂角を等分する仮想線上に各頂点位置から外方に向けて４つ延出して形成されている。各延出部２２の互いに対向する支柱本体２１の対向面間には、機器および配線を収容することが可能に形成されている。
【００２５】
連結溝２３は、図２および図３に示すように、支柱１２の一端から他端まで連続して形成されており、支柱１２の外側に開口する開口部２３１と、機器および配線を収容することが可能なカバー部材（図示省略）が係止可能な係止部２３２を有している。
【００２６】
また、この連結溝２３は、後述するネジ座１２ｄを支柱の上端面１２ａから下方に向けて挿入し、支柱側ネジ座１２ｄの当接部１２ｅが上端面１２ａに当接して連結溝２３内に位置することが可能な形状に形成されている（後述する図４（ｄ）参照）。
【００２７】
［１−３．連結杆の構成］
次に、図２から図５を参照して、支柱１２に連結される連結杆１３の具体的な構成について説明する。
【００２８】
連結杆１３は、アルミニウム製の材質で成型されており、図２から図４に示すように、連結杆端面１３ａの外形が後述する連結部材本体４１の外形と略同一の形状を有している。すなわち、図２および図３に示すように、連結杆１３は、連結杆端面１３ａに連結部材１４が固定されると、連結部材１４の外形から連結杆端面１３ａがほぼはみ出ることなく固定可能な形状を有している。
【００２９】
連結杆１３は、図２および図３に示すように、水平方向に延びた連結杆本体３１と、この連結杆本体３１の上部から立設した一対の連結杆立設板３２と、凹形状が形成された連結杆凹溝３３を有している。
【００３０】
連結杆本体３１は、水平方向に延びる略中空矩形形状を有している。また、連結杆本体３１の連結杆本体端面１３ａには、図４（ａ）に示すように、後述する連結部材本体４１に形成された４つの第１連結部材側ビス孔４１ａに対応する位置に４つの連結杆側第１ビス孔３１ａが形成されている。
【００３１】
また、連結杆本体３１の連結杆側面１３ｂには、水平方向に延びる２本の側面溝１３ｃが形成されており、側面溝１３ｃの溝内には、それぞれ連結杆側ネジ座１３ｄを挿入することが可能な形状に形成されている（図４（ａ）および図５参照）。
【００３２】
側面溝１３ｃの溝内には、後述する連結部材１４に形成された２つの第２ビス孔４１ｂに対応する位置に、所定の角度（例えば、連結杆１３の凹溝底面３３ａから４５度または−４５度）でビス（図示省略）が挿通可能な２つの連結杆側第２ビス孔３１ｂを有している。この連結杆側第２ビス孔３１ｂは、２つの連結杆側ネジ座１３ｄにそれぞれ形成されている。
【００３３】
一対の連結杆立設板３２は、図４（ｃ）に示すように、支柱１２と連結杆１３とを連結部材１４を介して連結した場合、支柱１２の支柱上端面１２ａよりも一対の連結杆立設板３２の連結杆上端面３２ａの方が高くなるように形成されている。
【００３４】
連結杆凹溝３３は、図３に示すように、凹溝底面３３ａと一対の連結杆立設板３２により、内部に配線を収容することが可能に上方に開口した形状を有している。そして、連結杆凹溝３３は、連結杆本体３１の上部に水平方向に連続して延びて形成されている。
【００３５】
なお、連結杆凹溝３３は連結杆本体３１の下面にも形成されている。すなわち、連結杆本体３１には、図４（ａ）に示すように、連結杆本体上面３１ｃおよび連結杆本体下面３１ｄにそれぞれ水平方向に連続して延びる上下連結杆凹溝が形成されている。
【００３６】
また、連結杆凹溝３３は、図３および図４に示すように、後述する連結部材凹部４３と補形をなしている。すなわち、連結杆凹溝３３は連結部材凹部４３の横断面形状とほぼ一致させた形状をした凹部であり、連結杆１３の連結杆端面１３ａに連結部材１４が固定されると、連結杆凹溝３３は連結部材凹部４３の凹形状とほぼ一致する。
【００３７】
そして、図５（ａ）および図５（ｂ）に示すように、水平方向に延びる２本の連結杆１３を上面視Ｔ字状に交差させ、一方の連結杆１３（図５（ｂ）に示す右側の連結杆１３）の連結杆端面１３ａと他方の連結杆１３（図５（ｂ）に示す左側の連結杆１３）の連結杆側面１３ｂとを連結する場合における他方の連結杆１３の連結杆側面１３ｂには切欠部３４が形成されている。
【００３８】
切欠部３４は、後述する連結部材凹部４３と補形をなしている。すなわち、切欠部３４は連結部材凹部４３の横断面形状とほぼ一致させた形状をした凹部であり、連結部材１４が固定された一方の連結杆１３を他方の連結杆１３の連結杆側面１３ｂに上面視Ｔ字状に交差させて連結すると、切欠部３４は、図５（ｃ）に示すように、一方の連結杆１３の連結杆凹溝３３と連結部材凹部４３の凹形状とほぼ一致する。
【００３９】
なお、図示を省略するが、なお、連結杆１３の下部には、間仕切りパネル１６が連設可能に形成されている（図１参照）。
【００４０】
［１−４．連結部材の構成］
次に、図４および図５を参照して、支柱１２と連結杆１３を連結する連結部材１４の具体的な構成について説明する。
【００４１】
連結部材１４は、約１０ｍｍ厚の鉄材で形成されており、図４および図５に示すように、連結部材１４の外形が上述した連結杆端面１３ａの外形と略同一の形状を有している。すなわち、図５（ｂ）に示すように、連結部材１４は、連結杆端面１３ａに固定されると、連結杆端面１３ａの外形から連結部材１４がほぼはみ出ることなく固定可能な形状を有している。
【００４２】
連結部材１４は、図４（ｂ）に示すように、床面に対して垂直方向に延びた矩形形状の連結部材本体４１と、連結部材本体４１の上部から立設した一対の連結部材立設板４２と、連結部材本体４１の上部と連結部材立設板４２とからなる連結部材凹部４３を有している。
【００４３】
連結部材本体４１は、図４（ａ）および図４（ｃ）に示すように、床面に対して垂直方向に延びた矩形形状を有している。また、連結部材本体４１には、上述した連結杆１３に形成された４つの連結杆側第１ビス孔３１ａに対応する位置に４つの連結部材側第１ビス孔４１ａが形成されている。
【００４４】
さらに、連結部材本体４１には、図４（ｄ）に示す支柱側ネジ座１２ｄが連結溝２３に挿入されて連結溝２３内に位置すると、支柱側ネジ座１２ｄに形成された２つの支柱側ビス孔１２ｂに対応する位置に、所定の角度でビス（図４ｃ参照）が挿通可能な２つの連結部材側第２ビス孔４１ｂが形成されている（図４（ｂ）参照）。
【００４５】
この２つの連結部材側第２ビス孔４１ｂは、図５に示す連結杆側ネジ座１３ｄがそれぞれ側面溝１３ｃに挿入されて側面溝１３ｃ内に位置すると、連結杆側ネジ座１３ｄにそれぞれ形成された連結杆側第２ビス孔３１ｂに所定の角度でビス（図示省略）が挿通可能に形成されている。
【００４６】
すなわち、連結部材本体４１に形成された２つの連結部材側第２ビス孔４１ｂは、支柱側ネジ座１２ｄに形成された２つの支柱側ビス孔１２ｂと、連結杆側ネジ座１３ｄにそれぞれ形成された連結杆側第２ビス孔３１ｂにビスを挿入することが可能である。このため、支柱１２に連結杆１３を連結する場合も連結杆１３同士を連結する場合にも同型の連結部材１４を用いることができるため、連結部材１４の製造コストの低減を図ることができる。
【００４７】
一対の連結部材立設板４２は、図４（ｃ）に示すように、連結部材１４を介して支柱１２と連結杆１３を連結した場合、支柱１２の支柱上端面１２ａよりも一対の連結部材立設板４２の連結立設板上端面４２ａの方が高くなるように形成されている。
【００４８】
連結部材凹部４３は、図４（ｂ）に示すように、凹部底面４３ａと一対の連結部材立設板４２により形成されており、上部に開口した形状を有している。この連結部材凹部４３は、上述した連結杆凹溝３３と補形をなしている。すなわち、連結部材凹部４３は、連結杆凹溝３３の横断面形状とほぼ一致させた形状をした凹部であり、図５（ｂ）に示すように、連結杆１３の連結杆端面１３ａに連結部材１４が固定されると、連結部材凹部４３は連結杆凹溝３３の凹形状とほぼ一致する。
【００４９】
また、図５（ａ）から図５（ｃ）に示すように、連結部材凹部４３は、他方の連結杆１３（図５（ｂ）に示す左側の連結杆１３）の連結杆側面１３ｂに形成された切欠部３４とも補形をなしている。すなわち、連結部材凹部４３は、切欠部４３の横断面形状とほぼ一致させた形状をした凹部であり、連結部材１４が固定された一方の連結杆１３を他方の連結杆１３の連結杆側面１３ｂに上面視Ｔ字状に交差させて連結すると、連結部材凹部４３は、一方の連結杆１３の連結杆凹溝３３と他方の連結杆１３の切欠部３４の凹形状とほぼ一致する。
【００５０】
上述した連結部材１４により、アルミニウム製の材質で成型されている支柱１２と連結杆１３、連結杆１３同士を強固に連結することができる。また連結部材１４により、連結杆１３に配置された配線を連結部分で生じる傷から保護することができる。
【００５１】
［１−５．連結部材による支柱と連結杆の連結］
次に、図２から図４を参照して、連結部材１４を介して支柱１２と連結杆１３を連結する場合について説明する。
【００５２】
はじめに、一方の連結杆１３（例えば図３の右側の連結杆１３）および他方の連結杆１３（例えば図３の左側の連結杆１３）に連結部材を固定する。具体的には、一方の連結杆１３と他方の連結杆１３の連結杆端面１３ａにそれぞれ連結部材１４を当接し、４つの連結杆側第１ビス孔３１ａと４つの連結部材側第１ビス孔４１ａにビスを挿通してビス止めすることにより連結部材１４を連結杆端面１３ａに固定する（図２参照）。
【００５３】
次に、支柱１２に連結部材１４が固定された連結杆１３をそれぞれ固定する。具体的には、はじめに、ネジ座１２ｄを支柱の上端面１２ａから下方に向けて挿入し、支柱側ネジ座１２ｄの当接部１２ｅを上端面１２ａに当接させて支柱側ネジ座１２ｄを連結溝２３内に位置させる（図４（ｃ）および図４（ｄ）参照）。
【００５４】
次に、所定の角度でビスが挿通可能に支柱側ネジ座１２ｄに形成された支柱側ビス孔１２ｂと、連結部材１４に形成された２つの連結部材側第２ビス孔４１ｂにビスを挿通してビス止めすることにより、上面視すると一方の連結杆１３と他方の連結杆１３が連結部材１４を介して上面視するとＬ字状に交差するように連結する（図３参照）。
【００５５】
支柱１２に連結杆１３が連結部材１４を介して連結されると、支柱１２の支柱上端面１２ａよりも一対の連結杆立設板３２の連結杆上端面３２ａおよび一対の連結部材立設板４２の連結立設板上端面４２ａの方が高くなるように連結部材１４を介して一方の連結杆１３および他方の連結杆１３が連結される（図３参照）。
【００５６】
また、支柱１２に連結杆１３が連結部材１４を介して連結されると、連結杆凹溝３３の凹溝底面３３ａと連結部材凹部５３の凹部底面４３ａと支柱上端面１２ａがほぼ面一となる位置関係となる。このため、連結杆凹溝３３に配線を配置した場合、支柱１２と連結杆１３の連結部において配線の取り回しが容易となり、配線が支柱１２や連結杆１３から露出することが軽減されて美観を向上することができる。
【００５７】
なお、図２および図３に示す支柱上端面１２ａには、保護部材２１０が嵌められている。このため、一方の連結杆１３の連結杆凹溝３３から他方の連結杆１３の連結杆凹溝３３に渡って配置された配線が、本体部ボルト孔２１１（図４（ｃ）参照）や支柱１２の一端から他端に渡って形成された貫通穴（図示省略）による傷から保護することができる。しかし、例えば、支柱１２の貫通穴に配線を配置する場合等により保護部材２１０が嵌められていない方が配線を配置し易い場合には、保護部材２１０が嵌められていなくてもよい。
【００５８】
［１−６．支柱の床面への立設］
次に、図４（ｃ）を参照して、上述した支柱１２の床面に対する立設状態について説明する。
【００５９】
上述した支柱１２は、床面に対して立設させる場合には、図４（ｃ）に示すように、アジャスター２０６を介して床面に立設させる。具体的には、アジャスター２０６のアジャスター孔２０６ａを貫通したボルト２０７ａにロックナット２０７ｂを嵌めた後、支柱本体２１の本体部ボルト孔２１１に挿入する。
【００６０】
そして、アジャスター２０６に形成されたアジャスター側ビス孔（図示省略）にビスを挿通し、床面にビス止めすることにより、ボルト２０７ａが挿入された支柱１２を、アジャスター２０６を介して床面に立設させる。なお、床面に段差があり複数の支柱１２同士の高さが同一にならない場合にはロックナット２０７ｂの位置を変更することにより高さを調節することが可能である。
【００６１】
上述したように、支柱本体２１は断面が正方形を有しており、正方形の各頂角を等分する線上に頂角から外方に向けてそれぞれ延出部２２が延出している。このため、床面にビス止めする際、支柱１２を安定して床面に立設させつつ支柱本体２１や延出部２２が邪魔にならずにビス止めすることができる。
【００６２】
［１−７．連結部材による連結杆同士の連結］
次に、図５を参照して、連結部材１４を介して一方の連結杆１３と他方の連結杆１３を連結する場合について説明する。
【００６３】
図５（ａ）および図５（ｂ）に示すように、はじめに、一方の連結杆１３（図５（ｂ）の右側の連結杆１３）の連結杆端面１３ａに連結部材１４をビス止めして固定する。具体的には、一方の連結杆１３の連結杆端面１３ａに連結部材１４を当接して４つの連結杆側第１ビス孔３１ａと４つの連結部材側第１ビス孔４１ａにビスを挿通してビス止めすることにより連結部材１４を連結杆端面１３ａに固定する。
【００６４】
次に、他方の連結杆１３（図５（ｂ）の左側の連結杆１３）の連結杆側面１３ｂに連結部材１４が固定された一方の連結杆１３（図２（ｂ）の右側の連結杆１３）をビス止めして固定する。具体的には、はじめに、連結杆側面１３ｂに形成された２本の側面溝１３ｃにそれぞれ連結杆側ネジ座１３ｄを挿入する。
【００６５】
次に、連結杆側ネジ座１３ｄにそれぞれ形成された２つの連結杆側第２ビス孔３１ｂと、連結部材１４の２つの連結部材側第２ビス孔４１ｂに所定の角度でビスを挿通してビス止めすることにより、上面視すると一方の連結杆１３と他方の連結杆１３が連結部材１４を介してＴ字状に交差して連結する。
【００６６】
上述したように、連結部材本体４１に形成された２つの連結部材側第２ビス孔４１ｂは、支柱側ネジ座１２ｄに形成された２つの支柱側ビス孔１２ｂと、連結杆側ネジ座１３ｄにそれぞれ形成された連結杆側第２ビス孔３１ｂにビスを挿入することが可能である。このため、支柱１２に連結杆１３を連結する場合も連結杆１３同士を連結する場合にも同型の連結部材１４を用いることができるため、連結部材１４の製造コストの低減を図ることができる。
【００６７】
一方の連結杆１３と他方の連結杆１３が連結部材１４を介して連結されると、連結杆凹溝３３の凹溝底面３３ａと切欠部３４の切欠部底面３４ａが連結部材凹部５３の凹部底面４３ａとほぼ面一となる位置関係となる（図４（ａ）、図４（ｂ）、図５参照）。このため、一方の連結杆１３と他方の連結杆１３の交差部において支柱１２と連結杆１３の連結部において配線の取り回しが容易となる。また、面一であることから配線が外部に露出することを防止して美観を向上することができる。
【００６８】
［２．第２実施形態］
次に、図６（ａ）から図６（ｃ）を参照して、第２実施形態に係る連結部材１４４の構成について説明する。なお、第１実施形態では、連結杆１３同士を上面視Ｌ字状に連結する場合も、一方の連結杆１３と他方の連結杆１３をＴ字状に交差して連結する場合も同一の連結部材１４を用いて連結する場合について説明したが、第２実施形態では、一方の連結杆１３と他方の連結杆１３をＴ字状に交差して連結する場合に用いる連結部材１４４について説明する。
【００６９】
なお、第２実施形態では、第１実施形態の連結部材１４に改良を加えた連結部材１４４を用いた空間構造体であり、連結部材１４４以外の構成については第１実施形態と同様である。そこで、以下では、第１実施形態に係る空間構造体と同等の構成等については説明を省略するものとし、第１実施形態に係る空間構造体１と同様の構成要素には同一の符号を付して説明する。
【００７０】
［２−１．連結部材の構成］
連結部材１４４は、図６（ａ）および図６（ｂ）に示すように、連結部材１４４の外形が上述した連結杆端面１３ａの外形と略同一の形状を有している。すなわち、図６（ａ）に示すように、連結部材１４は、連結杆端面１３ａに固定されると、連結杆端面１３ａの外形から連結部材１４がほぼはみ出ることなく固定可能な形状を有している。
【００７１】
連結部材１４４は、床面に対して垂直方向に延びた矩形形状の連結部材本体４１と、連結部材本体４１の上部から立設した一対の連結部材立設板４２と、連結部材本体４１の上部と連結部材立設板４２とからなる連結部材凹部４３を有している。
【００７２】
連結部材凹部４３は、凹部底面４３ａと一対の連結部材立設板４２により形成されており、上部に開口した形状を有している。この連結部材凹部４３は、他方の連結杆１３（図６（ｂ）に示す左側の連結杆１３）の連結杆側面１３ｂに形成された切欠部３４と補形をなしている。すなわち、連結部材凹部４３は、切欠部３４の横断面形状とほぼ一致させた形状をした凹部であり、一方の連結杆１３（図６（ｂ）に示す右側の連結杆１３）を他方の連結杆１３の連結杆側面１３ｂに上面視Ｔ字状に交差させて連結すると、連結部材凹部４３は、一方の連結杆１３の連結杆凹溝３３と他方の連結杆１３の切欠部３４の凹形状とほぼ一致する。
【００７３】
さらに連結部材凹部４３は、一対の連結部材立設板４２から一方向に延出した一対のフランジ部１４５が形成されている。この一対のフランジ部１４５は、一方の連結杆１３と他方の連結杆１３をＴ字状に交差させて連結すると、図６（ｃ）に示すように、他方の連結杆１３に形成された切欠部３４の底面に乗り上げて係止する。
【００７４】
［２−２．連結部材による連結杆同士の連結］
次に、図６（ａ）から図６（ｃ）を参照して、第２実施形態に係る連結部材１４４を介して一方の連結杆１３と他方の連結杆１３を連結する場合について説明する。
【００７５】
図６（ａ）に示すように、はじめに、一方の連結杆１３（図６（ａ）の右側の連結杆１３）の連結杆端面１３ａに連結部材１４をビス止めして固定する。
【００７６】
次に、他方の連結杆１３（図６（ｂ）の左側の連結杆１３）の連結杆側面１３ｂに連結部材１１が固定された一方の連結杆１３をビス止めして固定する。具体的には、連結杆側面１３ｂに形成された２本の側面溝１３ｃにそれぞれ連結杆側ネジ座１３ｄを挿入する。そして、連結杆側ネジ座１３ｄにそれぞれ形成された２つの連結杆側第２ビス孔３１ｂと、連結部材１４の２つの連結部材側第２ビス孔４１ｂに所定の角度でビスを挿通してビス止めすることにより、上面視すると一方の連結杆１３と他方の連結杆１３が連結部材１４を介してＴ字状に交差して連結する。
【００７７】
一方の連結杆１３と他方の連結杆１３が連結部材１４を介して連結されると、連結杆凹溝３３の凹溝底面３３ａと切欠部３４の切欠部底面３４ａが連結部材凹部５３の凹部底面４３ａとほぼ面一となる位置関係となる。このため、一方の連結杆１３と他方の連結杆１３の交差部において支柱１２と連結杆１３の連結部において配線の取り回しが容易となる。また、面一であることから配線が外部に露出することを防止して美観を向上することができる。
【００７８】
また、図６（ｃ）に示すように、一方の連結杆１３と他方の連結杆１３が連結部材１４を介して連結されると、一対のフランジ部１４５は、切欠部３４の底面に乗り上げてそれぞれ係止する。このため、一方の連結杆１３と他方の連結杆１３の交差部において、連結杆１３と連結部材１４に隙間が生じて連結杆１３に配置された配線が見えることを防止することができる。
【００７９】
［３．作用効果］
以上、上述したような空間構造体１は、床面から立設した支柱の上端部（支柱上端面１２ａ）と水平方向に延びる連結杆１３の端部（連結杆端面１３ａ）とを連結する連結部材１４を有する空間構造体１であって、連結杆１３は、水平方向に延びる略矩形形状の連結杆本体３１をもち、連結杆本体３１の上部に水平方向に連続して延びる凹溝（連結杆凹溝３３）が形成され、連結部材１４は、凹溝（連結杆凹溝３３）の横断面形状とほぼ一致させた形状をした凹部（連結部材凹部４３）をもち、支柱１２と連結杆１３の連結状態にて、凹部（連結部材凹部４３）の底面（凹部底面４３ａ）が、凹溝（連結杆凹溝３３）の底面（凹溝底面）および支柱１２の上端面（支柱上端面１２ａ）とほぼ面一となる位置関係にある。
【００８０】
そして、上述した空間構造体１によれば、連結部材１４は、連結部材凹部４３の凹部底面４３ａを、連結杆１３の連結杆凹溝３３の凹溝底面３３ａと支柱上端面１２ａとほぼ面一となる位置関係にあるため、一方の連結杆１３から他方の連結杆１３へ支柱１２を跨いで配線を配置する場合においても支柱１２と連結杆１３の連結部において配線の取り回しが容易となるとともに多くの配線を配置することができる。また、ほぼ面一となる位置関係にあることから直線に配線することが可能となり、配線が外部に露出することを防止して美観を向上することができる。
【００８１】
また、空間構造体１は、水平方向に延びる２本の連結杆１３を上面視Ｔ字状に交差させ、一方の連結杆１３の端面（連結杆端面１３ａ）と他方の連結杆１３の側面（連結杆側面１３ｂ）とを連結する連結部材１４、１４４を有する空間構造体であって、各連結杆１３は、水平方向に延びる略矩形形状の連結杆本体３１をもち、連結杆本体３１の上部に水平方向に連続して延びる凹溝（連結杆凹溝３３）が形成され、連結部材１４、１４４は、凹溝（連結杆凹溝３３）の横断面形状とほぼ一致させた形状をした凹部（連結部材凹部４３）をもち、他方の連結杆１３の側面（連結杆側面１３ｂ）に、凹部（連結部材凹部４３）の横断面形状とほぼ一致させた形状をした切欠部３４が形成され、連結部材１４、１４４は、２本の連結杆１３同士の連結状態にて、凹部（連結部材凹部４３）の底面（凹部底面４３ａ）が、凹溝（連結杆凹溝３３）の底面（凹溝底面）および切欠部３４の底面（切欠部底面３４ａ）とほぼ面一となる位置関係にある。このため、一方の連結杆１３と他方の連結杆１３の交差部において支柱１２と連結杆１３の連結部において配線の取り回しが容易となるとともに多くの配線を配置することができる。また、ほぼ面一となる位置関係にあることからＴ字路であっても配線を直線に配線することが可能となり、配線が外部に露出することを防止して美観を向上することができる。
【００８２】
さらに、空間構造体１は、切欠部３４の底面に乗り上げて係止するフランジ部１４５を有するため、一方の連結杆１３と他方の連結杆１３の交差部において、連結杆１３と連結部材１４４に隙間が生じて連結杆１３に配置された配線が見えることを防止することができる。
【００８３】
［４．変形例］
以上、本発明の空間構造体１を図示の実施形態に基づいて説明したが、本発明はこれに限定されるものではなく、各部の構成は、同様の機能を有する任意の構成のものに置き換えることができる。
【００８４】
例えば、上述した実施形態では、支柱本体２１は、床と水平な断面が正方形を有する場合を図示して説明したが、断面が三角形、五角形、六角形等の多角形であってもよい。
【００８５】
また、上述した実施形態では、４本の支柱１２を立設して空間構造体１を構成する場合について説明したが、プレゼンテーションや展示スペース等の空間にも適用することが可能である。
【００８６】
なお、上述した実施形態の支柱を用いた空間構造体は、高等教育市場においては、プレゼンテーションスペース、セミナーブース、キャリアサポートエリア、ライブラリーエリア、ゼミルーム、デジタルサイネージ等、病院市場においては、スタッフステーション、ＩＣＵスタッフステーション等、オフィス市場においては、間仕切りパネルと連携した新空間、ルームインルーム等として利用することができる。
【符号の説明】
【００８７】
１        空間構造体
１２      支柱
１２ａ    支柱上端面
１２ｂ    支柱側ビス孔
１２ｃ    支柱側面
１３      連結杆
１３ａ    連結杆端面
１３ｂ    連結杆側面
１４      連結部材
１５      コーナー部材
１６      間仕切りパネル
２１      支柱本体
２２      延出部
２３      連結溝
３１      連結杆本体
３１ａ    連結杆側第１ビス孔
３１ｂ    連結杆側第２ビス孔
３２      連結杆立設板
３２ａ    連結杆上端面
３３      連結杆凹溝
３３ａ    凹溝底面
３４      切欠部
３４ａ    切欠部底面
４１      連結部材本体
４１ａ    連結立設板状端面
４２      連結立設板
４３      連結部材凹部
４３ａ    凹部底面
【図１】
0006712853.tif 000002
【図２】
0006712853.tif 000003
【図３】
0006712853.tif 000004
【図４】
0006712853.tif 000005
【図５】
0006712853.tif 000006
【図６】
0006712853.tif 000007